(57)【要約】【課題】サイズが小さい段ボール箱を、安定した状態で棒積みできるようにする。【解決手段】端壁１の上辺及び下辺に内フラップ４，５を、側壁２の上辺及び下辺に外フラップ６，７をそれぞれ連設し、端壁１の上辺から係合片８を延出すると共に、下方の外フラップ７を切り欠いて係合凹部９を形成し、内フラップ４，５に外フラップ６，７を重ね合わせて固着し、係合片８を外フラップ６の上面に貼り付け、積上時には、係合片８と係合凹部９との係合により積ずれを防止する段ボール箱において、複数個の段ボール箱Ｂを側壁２同士が接するように連結するものとし、係合片８及び係合凹部９を、段ボール箱Ｂ同士の当接面となる側壁２へ寄せて配置することにより、段ボール箱Ｂを連結した状態で、隣り合う段ボール箱Ｂの係合片８及び係合凹部９が一体として機能するようにする。【選択図】図４
2012140174.tif 000002
【特許請求の範囲】
【請求項１】
端壁(1)の上辺及び下辺に内フラップ(4,5)を、側壁(2)の上辺及び下辺に外フラップ(6,7)をそれぞれ連設し、端壁(1)の上辺から係合片(8)を延出すると共に、下方の外フラップ(7)を切り欠いて係合凹部(9)を形成し、内フラップ(4,5)に外フラップ(6,7)を重ね合わせて固着し、係合片(8)を外フラップ(6)の上面に貼り付け、積上時には、係合片(8)と係合凹部(9)との係合により積ずれを防止する段ボール箱において、複数個の段ボール箱(B)を側壁(2)同士が接するように連結するものとし、係合片(8)及び係合凹部(9)を、段ボール箱(B)同士の当接面となる側壁(2)へ寄せて配置することにより、段ボール箱(B)を連結した状態で、隣り合う段ボール箱(B)の係合片(8)及び係合凹部(9)が一体として機能するようにしたことを特徴とする連結段ボール箱。
【請求項２】
前記係合凹部(9)の内側となる下方の内フラップ(5)の側縁に端覆片(10)を突設し、連結する段ボール箱(B)の端覆片(10)により、係合凹部(9)に臨む側壁(2)の下端の切断縁が互いに覆われるようにしたことを特徴とする請求項１に記載の連結段ボール箱。
【発明の詳細な説明】
【技術分野】
【０００１】
この発明は、連結状態で積ずれ防止機能が有効に発揮される段ボール箱に関する。
【背景技術】
【０００２】
積ずれ防止機能を備えた段ボール箱として、下記特許文献１には、図７及び図８に示すように、端壁５１の上辺及び下辺に内フラップ５３，５４を、側壁５２の上辺及び下辺に外フラップ５５，５６をそれぞれ連設し、上方の内フラップ５３の基端中央部をＶ字状に切り込んで係合片５７を形成すると共に、下方の外フラップ５６の先端角部を斜めに切欠いて係合凹部５８を形成したものが記載されている。
【０００３】
この段ボール箱を組み立てて物品を梱包する際には、下方の内フラップ５４と外フラップ５６とを順次折り重ね、外フラップ５６の突合部から端壁５１の下部まで接着テープＴを貼り付けて底組みをし、物品を収納した後、上方の内フラップ５３と外フラップ５５とを順次折り重ね、係合片５７を折り曲げて上方の外フラップ５５の表面に重ね、外フラップ５５の突合部から端壁５１の上部まで接着テープＴを貼り付けて封緘する。
【０００４】
そして、積上時には、上下の段ボール箱の向きを揃える棒積みといわれる積み方とし、下段側の段ボール箱の係合片５７に、上段側の段ボール箱の係合凹部５８を係合させて、積ずれを防止する。
【０００５】
このように積ずれを防止すると、段ボール箱の耐圧強度が有効に発揮される棒積みの利点が生かされ、下段側の段ボール箱の荷重による変形や、積み上げた段ボール箱の荷崩れを防止することができる。
【先行技術文献】
【特許文献】
【０００６】
【特許文献１】実開昭５５−１１０４２１号公報
【発明の概要】
【発明が解決しようとする課題】
【０００７】
しかしながら、段ボール箱のサイズが小さく、各段の配数や積み上げの段数が多くなる場合、上記特許文献１に記載の構成では、各段ボール箱について、逐一係合片５７と係合凹部５８とを係合させるのに手間がかかり、上下の段ボール箱が確実に係合しないまま積み上げを行って、積上状態が不安定になるおそれがあった。
【０００８】
そこで、この発明は、サイズが小さい段ボール箱を、安定した状態で棒積みできるようにすることを課題とする。
【課題を解決するための手段】
【０００９】
上記課題を解決するため、この発明では、端壁の上辺及び下辺に内フラップを、側壁の上辺及び下辺に外フラップをそれぞれ連設し、端壁の上辺から係合片を延出すると共に、下方の外フラップを切り欠いて係合凹部を形成し、内フラップに外フラップを重ね合わせて固着し、係合片を外フラップの上面に貼り付け、積上時には、係合片と係合凹部との係合により積ずれを防止する段ボール箱において、複数個の段ボール箱を側壁同士が接するように連結するものとし、係合片及び係合凹部を、段ボール箱同士の当接面となる側壁へ寄せて配置し、段ボール箱を連結した状態で、隣り合う段ボール箱の係合片及び係合凹部が一体として機能するようにしたのである。
【００１０】
また、前記係合凹部の内側となる下方の内フラップの側縁に端覆片を突設し、連結する段ボール箱の端覆片により、係合凹部に臨む側壁の下端の切断縁が互いに覆われるようにしたのである。
【発明の効果】
【００１１】
この発明に係る段ボール箱では、複数個連結した状態で棒積みすると、上下の段ボール箱を個別に逐一係合させなくても、下段側の連結された段ボール箱の係合片と、上段側の連結された段ボール箱の係合凹部とを容易に係合させることができるので、段ボール箱のサイズが小さく、配数や段数が多くても、安定した状態で棒積みすることができる。
【図面の簡単な説明】
【００１２】
【図１】この発明に係る連結段ボール箱のブランクを示す図
【図２】同上の組立過程を示す斜視図
【図３】同上の組立状態を示す斜視図
【図４】同上の連結状態を示す斜視図
【図５】同上の棒積み状態を示す斜視図
【図６】同上の係合凹部の部分拡大底面図
【図７】従来の積ずれ防止機能付き段ボール箱の上方斜視図
【図８】同上の下方斜視図
【発明を実施するための形態】
【００１３】
以下、この発明の実施形態を添付図面に基づいて説明する。
【００１４】
図１に示すように、この段ボール箱のブランクでは、幅面の端壁１及び長面の側壁２が各一対横方向に並んで交互に連設され、一方の端壁１の外側端に継代片３が連設されている。端壁１の上辺及び下辺には、それぞれ内フラップ４，５が連設され、側壁２の上辺及び下辺には、それぞれ外フラップ６，７が連設されている。
【００１５】
継代片３の反対側に位置する一方の側壁２の両側部には、面取部２ａが設けられ、この側壁２の面取部２ａに挟まれた部分に繋がる外フラップ６，７は、面取部２ａに対応する隅辺が斜めに切断されて、変則的な六角形とされている。
【００１６】
一対の端壁１の上端には、段ボール箱同士を連結する際、当接面となる他方の側壁２へ寄せて、先細り形状の係合片８が連設されている。係合片８の基端の折目線は、横に並ぶ内フラップ４の基端の折目線よりも、段ボールの厚さ分だけ上方へずらされている。
【００１７】
係合片８が近接する側壁２の下端に連設された外フラップ７には、側壁２との境界から切り欠いて、係合片８より一回り大きい係合凹部９が形成されている。
【００１８】
組立時に係合凹部９の内側となる下方の一対の内フラップ５の側縁には、端覆片１０が互い違いとなるように突設されている。
【００１９】
各一対の端壁１及び側壁２の下部には、カットテープ等による引裂帯１１が横方向へ延びるように設けられ、引裂帯１１は、面取部２ａに挟まれた部分と、それ以外の部分とを独立して切り取れるようになっている。
【００２０】
面取部２ａを有する一方の側壁２には、面取部２ａの内側辺に沿って引裂帯１１から上方へ延びる切目線１２ａが入れられ、この側壁２に繋がる外フラップ６には、切目線１２ａに連続する切目線１２ｂが入れられている。
【００２１】
このようなブランクを組み立てる際には、図２に示すように、端壁１、側壁２及び面取部２ａを六角筒状に折り曲げ、継代片３を反対側の面取部２ａの内面に貼り付け、下方の内フラップ５と外フラップ７とを順次折り重ね、これらをホットメルト等の接着剤又は接着テープにより固着して、底面を閉止する。
【００２２】
そして、この段ボール箱Ｂの内部に商品を収納した後、係合片８を立てたまま、上方の内フラップ４と外フラップ６とを順次折り重ねる。
【００２３】
その後、図３に示すように、上方の内フラップ４と外フラップ６とをホットメルト等の接着剤又は接着テープにより固着して、天面を閉止し、係合片８を外フラップ６の上面に接着剤により貼り付ける。
【００２４】
このように封緘した段ボール箱Ｂでは、天面側において、上方の外フラップ６から段ボールの厚さ分の段差を介して係合片８が突出し、底面側において、下方の外フラップ７から段ボールの厚さ分の段差を介して係合凹部９の内側が窪んだ状態となる。
【００２５】
上記のように組み立てた段ボール箱Ｂは、幅面のサイズが小さく、単独では不安定なため、図４に示すように、２個の段ボール箱Ｂを、面取部２ａのない側壁２同士を当接させて、バンド掛け又は接着剤により連結した状態で積み上げる。
【００２６】
このような連結状態では、隣り合う段ボール箱Ｂの係合片８同士が寄り合い、係合凹部９同士が連通して、これらが事実上、１つの係合片８及び係合凹部９として機能する。
【００２７】
このため、図５に示すように、棒積みする際、上下の段ボール箱Ｂを個別に逐一係合させなくても、下段側の連結された段ボール箱Ｂの係合片８と、上段側の連結された段ボール箱Ｂの係合凹部９とを容易に係合させることができるので、段ボール箱Ｂのサイズが小さく、配数や段数が多くても、安定した状態で棒積みすることができる。
【００２８】
また、図６に示すように、底面側から見た時、連結する段ボール箱Ｂの端覆片１０により、係合凹部９に臨む側壁２の下端の切断縁が互いに覆われるので、係合凹部９の内側に隙間が開いた印象を与えることがない。
【００２９】
そのほか、この段ボール箱Ｂでは、図３又は図４に示す状態において、引裂帯１１の面取部２ａに挟まれた部分を引っ張って切り取り、切目線１２ａ，１２ｂを切断すると、外側面から天面の一部へかけて開口させ、収納された商品を見せて陳列することができ、その状態で棒積みすることができる。
【００３０】
さらに、積上状態で最上段となる段ボール箱Ｂのみ、全周にわたって引裂帯１１を切り取り、その上方部分を除去して、トレー状態とすることにより、商品をいずれの方向からも見えるように露出させて陳列することができる。
【００３１】
なお、上記実施形態では、周壁が六角筒状をなす段ボール箱Ｂを背中合わせに連結するものを例示したが、直方体の段ボール箱を２個背中合わせに連結する場合や、３個以上の段ボール箱を連結する場合にも、同様の構成を採用することにより、安定した状態で棒積みすることができる。
【符号の説明】
【００３２】
Ｂ  段ボール箱
１  端壁
２  側壁
２ａ  面取部
３  継代片
４，５  内フラップ
６，７  外フラップ
８  係合片
９  係合凹部
１０  端覆片
１１  引裂帯
１２ａ，１２ｂ  切目線
【図１】
2012140174.tif 000003
【図２】
2012140174.tif 000004
【図３】
2012140174.tif 000005
【図４】
2012140174.tif 000006
【図５】
2012140174.tif 000007
【図６】
2012140174.tif 000008
【図７】
2012140174.tif 000009
【図８】
2012140174.tif 000010